(57)【特許請求の範囲】
【請求項１】
無線通信のための方法であって、
第１のラジオ・アクセス技術（ＲＡＴ）および第２のＲＡＴをサポートするネットワークにおいて、第３のＲＡＴの基地局の近隣リストを取得することと、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定することと、を備える方法。
【請求項２】
前記第１のＲＡＴおよび前記第２のＲＡＴのうちの少なくとも１つは、符号分割多元接続（ＣＤＭＡ）ＲＡＴを備える、請求項１に記載の方法。
【請求項３】
前記第１のＲＡＴおよび前記第２のＲＡＴのうちの少なくとも１つは、データ・オプティマイズド（ＤＯ）ＲＡＴを備える、請求項２に記載の方法。
【請求項４】
前記第３のＲＡＴは、ロング・ターム・イボリューション（ＬＴＥ）ＲＡＴを備える、請求項１に記載の方法。
【請求項５】
前記１または複数の基準は、前記第１のＲＡＴおよび前記第２のＲＡＴの相対的な有効通信範囲のロバストさを備える、請求項１に記載の方法。
【請求項６】
前記１または複数の基準は、所望される移動領域について、前記第１のＲＡＴと前記第２のＲＡＴとの有効通信範囲の相対的な網羅性を備える、請求項１に記載の方法。
【請求項７】
前記１または複数の基準は、前記第１のＲＡＴと前記第２のＲＡＴとの有効通信範囲エリアの相対的なサイズを備える、請求項１に記載の方法。
【請求項８】
前記１または複数の基準は、前記第１のＲＡＴと前記第２のＲＡＴとの相対的なページング・サイズ・サイクル持続期間を備える、請求項１に記載の方法。
【請求項９】
前記近隣リストを、前記判定に基づいて、前記第１のＲＡＴで、前記第２のＲＡＴで、または、前記第１のＲＡＴと前記第２のＲＡＴとの両方で送信すること、をさらに備える請求項１に記載の方法。
【請求項１０】
前記近隣リストを送信することは、
前記第３のＲＡＴからの有効通信範囲を持たないエリアにおいて、前記近隣リストにおける近隣の数をゼロに設定することと、
前記近隣リストを送信することとを備える、請求項９に記載の方法。
【請求項１１】
前記近隣リストを、前記判定に基づいて、前記第１のＲＡＴまたは前記第２のＲＡＴのうちの１つで送信することと、
前記送信された近隣リストに基づいて、前記第３のＲＡＴで測定が実行されるようにすることと、をさらに備える請求項１に記載の方法。
【請求項１２】
無線通信のための方法であって、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストからの情報と前記第２の近隣リストからの情報とを結合することと、を備える方法。
【請求項１３】
前記結合された情報に基づいて、前記第３のＲＡＴで測定を行うこと、をさらに備える請求項１２に記載の方法。
【請求項１４】
前記第３のＲＡＴで行われた測定に基づいて、前記第３のＲＡＴへのセル再選択を実行するか否かを決定すること、をさらに備える請求項１３に記載の方法。
【請求項１５】
前記第１のＲＡＴおよび前記第２のＲＡＴのうちの少なくとも１つは、符号分割多元接続（ＣＤＭＡ）ＲＡＴを備える、請求項１２に記載の方法。
【請求項１６】
前記第１のＲＡＴおよび前記第２のＲＡＴのうちの少なくとも１つは、データ・オプティマイズド（ＤＯ）ＲＡＴを備える、請求項１５に記載の方法。
【請求項１７】
前記第３のＲＡＴは、ロング・ターム・イボリューション（ＬＴＥ）ＲＡＴを備える、請求項１２に記載の方法。
【請求項１８】
前記結合することは、前記第１の近隣リストおよび前記第２の近隣リストからの情報を備える統合リストを更新することを備える、請求項１２に記載の方法。
【請求項１９】
前記第１の近隣リストおよび前記第２の近隣リストに関連付けられた優先度またはしきい値のうちの少なくとも１つが異なっていないと判定することをさらに備え、
前記結合することは、
前記第１の近隣リストまたは前記第２の近隣リストが周波数を含んでいないのであれば、ヌル・リストを生成することと、
前記第１の近隣リストおよび前記第２の近隣リストのおのおのが、少なくとも１つの周波数を含んでいるのであれば、前記第１の近隣リストおよび前記第２の近隣リストからの周波数を含むリストを生成することとを備える、請求項１２に記載の方法。
【請求項２０】
前記統合リストを更新することは、前記第３のＲＡＴへの再選択の確率を高めるように前記統合リストを更新することを備える、請求項１８に記載の方法。
【請求項２１】
前記第１の近隣リストおよび前記第２の近隣リストに関連付けられた優先度またはしきい値のうちの少なくとも１つが異なっていると判定することをさらに備え、
前記第１の近隣リストおよび前記第２の近隣リストに関連付けられた優先度またはしきい値のうちの少なくとも１つが異なっている場合、前記第３のＲＡＴへの再選択の確率を高めるように前記統合リストを更新する、請求項２０に記載の方法。
【請求項２２】
前記統合リストを更新することは、
第１のしきい値が前記第３のＲＡＴへの再選択の確率を高めるのであれば、前記統合リスト内に含めるために、前記第１の近隣リストおよび前記第２の近隣リストにおいて共通の周波数に対応する前記第１のしきい値を選択すること、そうではない場合には、第２のしきい値を選択することを備え、
前記第１のしきい値は、前記第１の近隣リストにおける共通の周波数に対応し、前記第２のしきい値は、前記第２の近隣リストにおける共通の周波数に対応する、請求項２０に記載の方法。
【請求項２３】
前記第３のＲＡＴにおいて測定を行うために、前記第１のＲＡＴまたは前記第２のＲＡＴを選択することと、
前記結合された情報に基づいて、前記第３のＲＡＴにおいて測定を行うために前記選択されたＲＡＴを用いることと、をさらに備える請求項１２に記載の方法。
【請求項２４】
前記第１のＲＡＴまたは前記第２のＲＡＴを選択することは、少なくとも、前記第１のＲＡＴのページング・サイクルに基づく、請求項２３に記載の方法。
【請求項２５】
前記選択されたＲＡＴによって行われた測定を、選択されなかったＲＡＴと共有すること、をさらに備える請求項２３に記載の方法。
【請求項２６】
無線通信のための方法であって、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを、中央エンティティに格納することと、を備える方法。
【請求項２７】
少なくとも、前記中央エンティティにおける格納された測定値に基づいて、前記第３のＲＡＴへのセル再選択を実行するか否かを決定すること、をさらに備える請求項２６に記載の方法。
【請求項２８】
前記決定することは、前記中央エンティティにおける測定値に基づいて、前記第３のＲＡＴへのセル再選択を実行しないことを決定することを含む、請求項２７に記載の方法。
【請求項２９】
前記第１のＲＡＴは、前記第１の近隣リストにおける情報に基づいて、前記第３のＲＡＴにおいて格納された測定値を得て、
前記第２のＲＡＴは、前記第２の近隣リストにおける情報に基づいて、前記第３のＲＡＴにおいて格納された測定値を得る、請求項２６に記載の方法。
【請求項３０】
前記第１のＲＡＴおよび前記第２のＲＡＴのうちの少なくとも１つは、符号分割多元接続（ＣＤＭＡ）ＲＡＴを備える、請求項２６に記載の方法。
【請求項３１】
前記第１のＲＡＴおよび前記第２のＲＡＴのうちの少なくとも１つは、データ・オプティマイズド（ＤＯ）ＲＡＴを備える、請求項２６に記載の方法。
【請求項３２】
前記第３のＲＡＴは、ロング・ターム・イボリューション（ＬＴＥ）ＲＡＴを備える、請求項２６に記載の方法。
【請求項３３】
その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うこと、をさらに備える請求項２６に記載の方法。
【請求項３４】
前記格納することは、所与の周波数の前記中央エンティティにおいて格納された測定値を、予め定められた期間、有効であると考慮することを備える、請求項２６に記載の方法。
【請求項３５】
前記予め定められた期間は、ユーザ機器の移動速度に依存する、請求項２６に記載の方法。
【請求項３６】
無線通信のための装置であって、
第１のラジオ・アクセス技術（ＲＡＴ）および第２のＲＡＴをサポートするネットワークにおいて、第３のＲＡＴの基地局の近隣リストを取得する手段と、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定する手段と、を備える装置。
【請求項３７】
前記近隣リストを、前記判定に基づいて、前記第１のＲＡＴで、前記第２のＲＡＴで、または、前記第１のＲＡＴと前記第２のＲＡＴとの両方で送信する手段、をさらに備える請求項３６に記載の装置。
【請求項３８】
前記近隣リストを、前記判定に基づいて、前記第１のＲＡＴまたは前記第２のＲＡＴのうちの１つで送信する手段と、
前記送信された近隣リストに基づいて、前記第３のＲＡＴで測定が実行されるようにする手段と、をさらに備える請求項３６に記載の装置。
【請求項３９】
無線通信のための装置であって、
第１のラジオ・アクセス技術（ＲＡＴ）で、第３のＲＡＴの基地局に関する情報を伴う第１の近隣リストを取得する手段と、
第２のＲＡＴで、前記第３のＲＡＴの基地局に関する情報を伴う第２の近隣リストを取得する手段と、
前記第１の近隣リストからの情報と前記第２の近隣リストからの情報とを結合する手段と、を備える装置。
【請求項４０】
前記結合された情報に基づいて、前記第３のＲＡＴで測定を行う手段、をさらに備える請求項３９に記載の装置。
【請求項４１】
前記結合された情報を、統合リストに保持する手段と、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを更新する手段と、ここで、前記第１のしきい値は、前記第１の近隣リストにおける共通の周波数に対応し、前記第２のしきい値は、前記第２の近隣リストにおける共通の周波数に対応する、をさらに備える請求項３９に記載の装置。
【請求項４２】
無線通信のための装置であって、
第１のラジオ・アクセス技術（ＲＡＴ）で、第３のＲＡＴの基地局に関する情報を伴う第１の近隣リストを取得する手段と、
第２のＲＡＴで、前記第３のＲＡＴの基地局に関する情報を伴う第２の近隣リストを取得する手段と、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持する手段と、を備える装置。
【請求項４３】
少なくとも、前記中央エンティティにおける測定値に基づいて、前記第３のＲＡＴへのセル再選択を実行するか否かを決定する手段、をさらに備える請求項４２に記載の装置。
【請求項４４】
その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行う手段、をさらに備える請求項４２に記載の装置。
【請求項４５】
無線通信のための装置であって、
第１のラジオ・アクセス技術（ＲＡＴ）および第２のＲＡＴをサポートするネットワークにおいて、第３のＲＡＴの基地局の近隣リストを取得し、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定するように構成された少なくとも１つのプロセッサと、
前記少なくとも１つのプロセッサに接続されたメモリと、を備える装置。
【請求項４６】
前記少なくとも１つのプロセッサはさらに、前記近隣リストを、前記判定に基づいて、前記第１のＲＡＴで、前記第２のＲＡＴで、または、前記第１のＲＡＴと前記第２のＲＡＴとの両方で送信するように構成された、請求項４５に記載の装置。
【請求項４７】
前記少なくとも１つのプロセッサはさらに、前記近隣リストを、前記判定に基づいて、前記第１のＲＡＴまたは前記第２のＲＡＴのうちの１つで送信し、
前記送信された近隣リストに基づいて、前記第３のＲＡＴで測定が実行されるようにするように構成された、請求項４５に記載の装置。
【請求項４８】
無線通信のための装置であって、
第３のラジオ・アクセス技術（ＲＡＴ）の基地局に関する情報を伴う第１の近隣リストを第１のＲＡＴを介して取得し、
前記第３のＲＡＴの基地局に関する情報を伴う第２の近隣リストを第２のＲＡＴを介して取得し、
前記第１の近隣リストおよび前記第２の近隣リストからの情報を結合するように構成された少なくとも１つのプロセッサと、
前記少なくとも１つのプロセッサに接続されたメモリと、を備える装置。
【請求項４９】
前記少なくとも１つのプロセッサはさらに、前記結合された情報に基づいて、前記第３のＲＡＴで測定を行うように構成された、請求項４８に記載の装置。
【請求項５０】
前記少なくとも１つのプロセッサはさらに、
前記結合された情報を、統合リストに保持し、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを統合するように構成され、
前記第１のしきい値は、前記第１の近隣リストにおける共通の周波数に対応し、前記第２のしきい値は、前記第２の近隣リストにおける共通の周波数に対応する、請求項４８に記載の装置。
【請求項５１】
無線通信のための装置であって、
第３のラジオ・アクセス技術（ＲＡＴ）の基地局に関する情報を伴う第１の近隣リストを第１のＲＡＴを介して取得し、
前記第３のＲＡＴの基地局に関する情報を伴う第２の近隣リストを第２のＲＡＴを介して取得し、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持するように構成された少なくとも１つのプロセッサと、
前記少なくとも１つのプロセッサに接続されたメモリと、を備える装置。
【請求項５２】
前記少なくとも１つのプロセッサはさらに、少なくとも、前記中央エンティティにおける測定値に基づいて、前記第３のＲＡＴへのセル再選択を実行するか否かを決定するように構成された、請求項５１に記載の装置。
【請求項５３】
前記少なくとも１つのプロセッサはさらに、その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うように構成された、請求項５１に記載の装置。
【請求項５４】
格納された命令群を有するコンピュータ読取可能記憶媒体であって、
前記命令群は、
第１のラジオ・アクセス技術（ＲＡＴ）および第２のＲＡＴをサポートするネットワークにおいて、第３のＲＡＴの基地局の近隣リストを取得することと、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定することと、のために１または複数のプロセッサによって実行可能である、コンピュータ読取可能記憶媒体。
【請求項５５】
前記命令群はさらに、
前記近隣リストを、前記判定に基づいて、前記第１のＲＡＴで、前記第２のＲＡＴで、または、前記第１のＲＡＴと前記第２のＲＡＴとの両方で送信することのために１または複数のプロセッサによって実行可能である、請求項５４に記載のコンピュータ読取可能記憶媒体。
【請求項５６】
前記命令群はさらに、
前記近隣リストを、前記判定に基づいて、前記第１のＲＡＴまたは前記第２のＲＡＴのうちの１つで送信することと、
前記送信された近隣リストに基づいて、前記第３のＲＡＴで測定が実行されるようにすることと、のために１または複数のプロセッサによって実行可能である、請求項５４に記載のコンピュータ読取可能記憶媒体。
【請求項５７】
格納された命令群を有するコンピュータ読取可能記憶媒体であって、
前記命令群は、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストからの情報と前記第２の近隣リストからの情報とを結合することと、のために１または複数のプロセッサによって実行可能である、コンピュータ読取可能記憶媒体。
【請求項５８】
前記命令群はさらに、前記結合された情報に基づいて、前記第３のＲＡＴで測定を行うことのために１または複数のプロセッサによって実行可能である、請求項５７に記載のコンピュータ読取可能記憶媒体。
【請求項５９】
前記命令群はさらに、
前記結合された情報を、統合リストに保持することと、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを更新することと、ここで、前記第１のしきい値は、前記第１の近隣リストにおける共通の周波数に対応し、前記第２のしきい値は、前記第２の近隣リストにおける共通の周波数に対応する、のために１または複数のプロセッサによって実行可能である、請求項５７に記載のコンピュータ読取可能記憶媒体。
【請求項６０】
格納された命令群を有するコンピュータ読取可能記憶媒体であって、
前記命令群は、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持することと、のために１または複数のプロセッサによって実行可能である、コンピュータ読取可能記憶媒体。
【請求項６１】
前記命令群はさらに、少なくとも、前記中央エンティティにおける測定値に基づいて、前記第３のＲＡＴへのセル再選択を実行するか否かを決定することのために１または複数のプロセッサによって実行可能である、請求項６０に記載のコンピュータ読取可能記憶媒体。
【請求項６２】
前記命令群はさらに、その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うことのために１または複数のプロセッサによって実行可能である、請求項６０に記載のコンピュータ読取可能記憶媒体。
【発明の詳細な説明】
【優先権主張】
【０００１】
本特許出願は、本特許出願の譲受人に譲渡され、本明細書において参照によって明確に組み込まれている２０１１年３月２８日出願の「マルチＲＡＴシステムにおいて再選択を実行している間の電力消費量を低減するための技術」（Techniques to Reduce the Power Consumed While Executing Reselection in a Multi-RAT System）と題された米国仮出願６１／４６８，４６０に対する優先権を主張する。
【技術分野】
【０００２】
本開示のある態様は、一般に、無線通信に関し、さらに詳しくは、マルチ・ラジオ・アクセス技術（ＲＡＴ）をサポートするネットワークにおいて再選択を実行することに関する。
【背景技術】
【０００３】
無線通信ネットワークは、例えば、テレフォニ、ビデオ、データ、メッセージング、ブロードキャスト等のようなさまざまな通信サービスを提供するために広く展開されている。通常は多元接続ネットワークであるこのようなネットワークは、利用可能なネットワーク・リソースを共有することによって、複数のユーザのための通信をサポートする。
【０００４】
このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。グローバル移動体通信システム（ＧＳＭ（登録商標））技術の後継であるＵＭＴＳは、現在、例えば広帯域符号分割多元接続（Ｗ−ＣＤＭＡ）、時分割−符号分割多元接続（ＴＤ−ＣＤＭＡ）、および時分割−同時符号分割多元接続（ＴＤ−ＳＣＤＭＡ）のようなさまざまなエア・インタフェース規格をサポートする。例えば、中国は、コア・ネットワークとして既存のＧＳＭインフラストラクチャとの、ＵＴＲＡＮアーキテクチャにおける根底をなすエア・インタフェースとして、ＴＤ−ＳＣＤＭＡを追求している。ＵＭＴＳはまた、例えば高速ダウンリンク・パケット・データ（ＨＳＤＰＡ）のように、関連付けられたＵＭＴＳネットワークへより高いデータ転送速度および容量を提供するエンハンスト３Ｇデータ通信プロトコルをサポートする。
【０００５】
いくつかのネットワークは、少なくとも３つのＲＡＴ間の移動をサポートする。例えば、３ＧＰＰ２規格は、ＣＤＭＡ  １ｘ  ＲＡＴ、データ・オプティマイズド（ＤＯ）ＲＡＴ、およびロング・ターム・イボリューション（ＬＴＥ）ＲＡＴ間の移動をサポートする。あいにく、再選択を実行するために必要とされる測定を行い管理することは、実質的に電力を消費するので、チャレンジを呈しうる。
【発明の概要】
【０００６】
本開示のある態様は、無線通信のための方法を提供する。この方法は一般に、第１のラジオ・アクセス技術（ＲＡＴ）および第２のＲＡＴをサポートするネットワークにおいて、第３のＲＡＴの基地局の近隣リストを取得することと、この近隣リストを第１のＲＡＴで送信するか、第２のＲＡＴで送信するか、または第１のＲＡＴと第２のＲＡＴとの両方で送信するかを、１または複数の基準に基づいて判定することと、を含む。
【０００７】
本開示のある態様は、無線通信のための方法を提供する。この方法は一般に、第３のラジオ・アクセス技術（ＲＡＴ）の基地局の情報を伴う第１の近隣リストを第１のＲＡＴを介して取得することと、第３のＲＡＴの基地局の情報を伴う第２の近隣リストを第２のＲＡＴを介して取得することと、第１の近隣リストからの情報と第２の近隣リストからの情報とを結合することと、を含む。態様では、この方法はさらに、結合された情報に基づいて、第３のＲＡＴにおいて測定を行うか否かを判定することを含みうる。
【０００８】
本開示のある態様は、無線通信のための方法を提供する。この方法は一般に、第３のラジオ・アクセス技術（ＲＡＴ）の基地局の情報を伴う第１の近隣リストを第１のＲＡＴを介して取得することと、第３のＲＡＴの基地局の情報を伴う第２の近隣リストを第２のＲＡＴを介して取得することと、第１の近隣リストにおける情報に基づいて第３のＲＡＴで得られた測定値と、第２の近隣リストにおける情報に基づいて第３のＲＡＴで得られた測定値とのうちの少なくとも１つを用いて、中央エンティティを維持することと、を含む。態様では、方法はさらに、少なくとも、中央エンティティにおける測定値に基づいて、第３のＲＡＴへのセル再選択を実行するか否かを判定することを含みうる。
【０００９】
本開示のある態様は、無線通信のための装置を提供する。この装置は一般に、第１のラジオ・アクセス技術（ＲＡＴ）および第２のＲＡＴをサポートするネットワークにおいて、第３のＲＡＴの基地局の近隣リストを取得する手段と、この近隣リストを第１のＲＡＴで送信するか、第２のＲＡＴで送信するか、または第１のＲＡＴと第２のＲＡＴとの両方で送信するかを、１または複数の基準に基づいて判定する手段と、を含む。
【００１０】
本開示のある態様は、無線通信のための装置を提供する。この装置は一般に、第３のラジオ・アクセス技術（ＲＡＴ）の基地局に関する情報を伴う第１の近隣リストを第１のＲＡＴを介して取得する手段と、第３のＲＡＴの基地局に関する情報を伴う第２の近隣リストを第２のＲＡＴを介して取得する手段と、第１の近隣リストからの情報と第２の近隣リストからの情報とを結合する手段と、を含む。
【００１１】
本開示のある態様は、無線通信のための装置を提供する。この装置は一般に、第３のラジオ・アクセス技術（ＲＡＴ）の基地局に関する情報を伴う第１の近隣リストを第１のＲＡＴを介して取得する手段と、第３のＲＡＴの基地局に関する情報を伴う第２の近隣リストを第２のＲＡＴを介して取得する手段と、第１の近隣リストにおける情報に基づいて第３のＲＡＴで得られた測定値と、第２の近隣リストにおける情報に基づいて第３のＲＡＴで得られた測定値とのうちの少なくとも１つを用いて、中央エンティティを維持する手段と、を含む。
【００１２】
本開示のある態様は、無線通信のための装置を提供する。この装置は一般に、第１のラジオ・アクセス技術（ＲＡＴ）および第２のＲＡＴをサポートするネットワークにおいて、第３のＲＡＴの基地局の近隣リストを取得し、この近隣リストを第１のＲＡＴで送信するか、第２のＲＡＴで送信するか、または第１のＲＡＴと第２のＲＡＴとの両方で送信するかを、１または複数の基準に基づいて判定する、ように構成された少なくとも１つのプロセッサを含む。
【００１３】
本開示のある態様は、無線通信のための装置を提供する。この装置は一般に、第３のラジオ・アクセス技術（ＲＡＴ）の基地局に関する情報を伴う第１の近隣リストを第１のＲＡＴを介して取得し、第３のＲＡＴの基地局に関する情報を伴う第２の近隣リストを第２のＲＡＴを介して取得し、第１の近隣リストからの情報と第２の近隣リストからの情報とを結合する、ように構成された少なくとも１つのプロセッサを含む。
【００１４】
本開示のある態様は、無線通信のための装置を提供する。この装置は一般に、第３のラジオ・アクセス技術（ＲＡＴ）の基地局に関する情報を伴う第１の近隣リストを第１のＲＡＴを介して取得し、第３のＲＡＴの基地局に関する情報を伴う第２の近隣リストを第２のＲＡＴを介して取得し、第１の近隣リストにおける情報に基づいて第３のＲＡＴで得られた測定値と、第２の近隣リストにおける情報に基づいて第３のＲＡＴで得られた測定値とのうちの少なくとも１つを用いて、中央エンティティを維持する、ように構成された少なくとも１つのプロセッサを含む。
【００１５】
本開示のある実施形態は、格納された命令群を有するコンピュータ読取可能な媒体を備えるプログラム製品を提供する。これら命令群は一般に、第１のラジオ・アクセス技術（ＲＡＴ）および第２のＲＡＴをサポートするネットワークにおいて、第３のＲＡＴの基地局の近隣リストを取得することと、この近隣リストを第１のＲＡＴで送信するか、第２のＲＡＴで送信するか、または第１のＲＡＴと第２のＲＡＴとの両方で送信するかを、１または複数の基準に基づいて判定することと、のために１または複数のプロセッサによって実行可能である。
【００１６】
本開示のある実施形態は、格納された命令群を有するコンピュータ読取可能な媒体を備えるプログラム製品を提供する。これら命令群は一般に、第３のラジオ・アクセス技術（ＲＡＴ）の基地局に関する情報を伴う第１の近隣リストを第１のＲＡＴを介して取得することと、第３のＲＡＴの基地局に関する情報を伴う第２の近隣リストを第２のＲＡＴを介して取得することと、第１の近隣リストからの情報と第２の近隣リストからの情報とを結合することと、のために１または複数のプロセッサによって実行可能である。
【００１７】
本開示のある実施形態は、格納された命令群を有するコンピュータ読取可能な媒体を備えるプログラム製品を提供する。これら命令群は一般に、第３のラジオ・アクセス技術（ＲＡＴ）の基地局に関する情報を伴う第１の近隣リストを第１のＲＡＴを介して取得することと、第３のＲＡＴの基地局に関する情報を伴う第２の近隣リストを第２のＲＡＴを介して取得することと、第１の近隣リストにおける情報に基づいて第３のＲＡＴで得られた測定値と、第２の近隣リストにおける情報に基づいて第３のＲＡＴで得られた測定値とのうちの少なくとも１つを用いて、中央エンティティを維持することと、のために１または複数のプロセッサによって実行可能である。
【００１８】
装置およびコンピュータ・プログラム製品を含むその他多くの態様が提供される。
【図面の簡単な説明】
【００１９】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末のブロック図を例示する。
【図３】図３は、本開示のある態様にしたがう無線デバイスの例のブロック図を例示する。
【図４】図４は、本開示のある態様にしたがって、ラジオ・アクセス技術（ＲＡＴ）再選択に関連付けられた電力消費量を低減するためにネットワークによって実行されうる動作の例を例示する。
【図５】図５は、本開示のある態様にしたがうユーザ機器のブロック図の例を例示する。
【図６】図６は、本開示のある態様にしたがって、ＲＡＴ再選択に関連付けられた電力消費量を低減するためにユーザ機器によって実行されうる動作の例を例示する。
【図７】図７は、本開示のある態様にしたがって、ＲＡＴ再選択に関連付けられた電力消費量を低減するためにユーザ機器によって実行されうる動作の例を例示する。
【図８】図８は、本開示のある態様にしたがうユーザ機器のブロック図の別の例を例示する。
【発明を実施するための形態】
【００２０】
本開示のさまざまな態様は、添付図面を参照して以下により十分に記載される。しかしながら、本開示は、異なる多くの形態で具体化され、本開示を通じて示された如何なる具体的な構成または機能にも限定されるとは解釈されるべきではない。むしろ、これらの態様は、本開示が十分で完全であり、本開示の範囲を当業者に十分に伝達できるように提供されている。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実現され、方法が実施されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２１】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００２２】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２３】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ）のようなラジオ技術を実施しうる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥについて記載されており、ＬＴＥ用語が以下の説明の一部で使用される。
【００２４】
シングル・キャリア変調および周波数領域等値化を利用するシングル・キャリア周波数分割多元接続（ＳＣ−ＦＤＭＡ）は、本明細書で記載されるさまざまな態様とともに利用されうる技術である。ＳＣ−ＦＤＭＡは、ＯＦＤＭＡシステムと類似の性能を有し、本質的に全体的に同等の複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは、現在、３ＧＰＰロング・ターム・イボリューション（ＬＴＥ）またはイボルブドＵＴＲＡにおけるアップリンク多元接続スキームのための動作前提である。
【００２５】
図１に示すように、１つの態様にしたがった多元接続無線通信システムが例示される。アクセス・ポイント１００（ＡＰ）は、１つは１０４，１０６を含み、他のものは１０８，１１０を含み、さらに他のものは１１２，１１４を含む複数のアンテナ・グループを含んでいる。アクセス・ポイント（ＡＰ）はまた、基地局（ＢＳ）、ｅノードＢ、または単にｅＮＢと称されうる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末（ＡＴ）はまた、ユーザ端末（ＵＴ）、移動局（ＭＳ）、ユーザ機器（ＵＥ）、無線通信デバイス、またはその他いくつかの用語で称されうる。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。周波数分割デュプレクス（ＦＤＤ）システムでは、通信リンク１１８、１２０、１２４および１２６は、通信のために異なる周波数を使用しうる。例えば、順方向リンク１２０は、逆方向リンク１１８によって使用されるものとは異なる周波数を使用することができる。アクセス端末１１６，１２２は、複数のラジオ・アクセス技術の下で動作可能でありうる（例えば、マルチモード・デバイス）。
【００２６】
通信するように設計された領域および／またはアンテナのおのおののグループは、しばしば、アクセス・ポイントのセクタと称される。１つの態様では、それぞれのアンテナ・グループは、アクセス・ポイント１００によってカバーされたエリアのセクタ内のアクセス端末と通信するように設計されている。
【００２７】
順方向リンク１２０，１２６による通信では、アクセス・ポイント１００の送信アンテナは、別のアクセス端末１１６，１２２のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、アクセス端末の全てへ単一のアンテナによって送信するアクセス・ポイントよりも、近隣のセル内のアクセス端末に対して少ない干渉しかもたらさない。
【００２８】
一般に、特定の地理的エリアは、１または複数のラジオ・アクセス技術（ＲＡＴ）によってカバーされうる。例えば、ＬＴＥ  ＲＡＴ、ＣＤＭＡ  １ｘ  ＲＡＴ、およびデータ・オプティマイズド（ＤＯ）ＲＡＴが、図１に例示されている。この例において、曲線１３０は、ＬＴＥの有効通信範囲エリアを例示し、曲線１３２は、ＣＤＭＡ  １ｘの有効通信範囲エリアを例示し、曲線１３４は、ＤＯネットワークの有効通信範囲エリアを例示する。例示されるように、異なるＲＡＴが、あるエリアにおいてオーバラップする有効通信範囲を有しうる。マルチ・モード・アクセス端末は、異なるＲＡＴの有効通信範囲エリアを通って移動している間、異なるＲＡＴの優先度、信号強度、およびその他の基準に依存して、これら異なるＲＡＴ間の切り換えを行いうる。例えば、アクセス端末１２２は、ＬＴＥの有効通信範囲エリア（例えば、曲線１３０）に入った場合、現在のネットワーク（例えば、ＣＤＭＡ  １ｘ）からＬＴＥへ切り換わりうる。
【００２９】
図２は、ＭＩＭＯシステム２００における送信機システム２１０（例えば、アクセス・ポイント）および受信機システム２５０（例えば、アクセス端末）の態様のブロック図である。送信機システム２１０では、多くのデータ・ストリームのトラフィック・データが、データ・ソース２１２から送信（ＴＸ）データ・プロセッサ２１４に提供される。
【００３０】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームについて多重化されたパイロットおよび符号化されたデータは、その後、そのデータ・ストリームのために選択された特定の変調スキームに基づいて変調（例えば、シンボル・マップ）され、変調シンボルが提供される。変調スキームの例は、バイナリ・フェーズ・シフト・キーイング（ＢＰＳＫ）、直交フェーズ・シフト・キーイング（ＱＰＳＫ）、Ｍ−ＰＳＫ、またはＭ−ＱＡＭ（求積振幅変調）を含みうる。ここで、Ｍは整数である。各データ・ストリームのデータ・レート、符号化、および変調は、メモリ２３２に接続されうるプロセッサ２３０によって実行される命令群によって決定されうる。
【００３２】
それぞれのデータ・ストリームの変調シンボルは、その後、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００３３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３４】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３５】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００３６】
メモリ２７２に接続されうるプロセッサ２７０は、どのプリコーディング行列を使用するのかを定期的に決定する。さらに、プロセッサ２７０は、行列インデクス部およびランク値部を備えた逆方向リンク・メッセージを規定する。逆方向リンク・メッセージは、通信リンクおよび／または受信されたデータ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３７】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００３８】
態様では、論理チャネルが、制御チャネルとトラフィック・チャネルとに分類される。論理制御チャンネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためにマルチメディア・ブロードキャストおよびマルチキャスト・サービス（ＭＢＭＳ）スケジューリングおよび制御情報を送信するために使用されるポイント・トゥ・マルチポイントＤＬチャネルである、マルチキャスト制御チャネル（ＭＣＣＨ）とを備える。一般に、ＲＲＣ（ラジオ・リソース制御）接続を確立した後に、このチャネルは、ＭＢＭＳ（注：古いＭＣＣＨ＋ＭＳＣＨ）を受信するユーザ機器（ＵＥ）によってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルであるマルチキャスト・トラフィック・チャネル（ＭＴＣＨ）と、を備える。
【００３９】
態様では、伝送チャンネルは、ＤＬおよびアップリンク（ＵＬ）に分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４０】
図３は、図１の無線通信システム内で適用されうる無線デバイス３０２内で利用されうるさまざまな構成要素を例示する。無線デバイス３０２は、本明細書で説明されるさまざまな方法を実施するために構成されうるデバイスの例である。無線デバイス３０２は、図１からのアクセス・ポイント１００でありうるか、または、アクセス端末１１６，１２２のうちの何れかでありうる。
【００４１】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４２】
無線デバイス３０２はまた、無線デバイス３０２と遠隔位置との間でのデータの送信および受信を可能にする送信機３１０および受信機３１２を含みうるハウジング３０８を含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００４３】
無線デバイス３０２は、トランシーバ３１４によって受信された信号を検出し、そのレベルを定量化する目的で使用される信号検出器３１８をも含むことができる。
【００４４】
信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４５】
無線デバイス３０２のさまざまな構成要素を、データ・バスに加えて電力バス、制御信号バス、およびステータス信号バスを含むことができるバス・システム３２２によってともに結合することができる。
【００４６】
（マルチＲＡＴシステムにおいて再選択を実行することに関連付けられた電力消費量を低減するための技術の例）  
複数のラジオ・アクセス技術（ＲＡＴ）間の再選択（例えば、アイドル・ハンドオーバ）をサポートするために、さまざまな無線規格が強化された。例えば、ＣＤＭＡ  １ｘ（以下、１ｘ）ＲＡＴおよび／または高レート・パケット・データ（ＨＲＰＤ、イボリューション・データ・オプティマイズド（ＥＶＤＯ）またはＤＯとしても知られている）ＲＡＴからＬＴＥへのＵＥの再選択をサポートするために、３ＧＰＰ２規格が強化された。
【００４７】
（例えば、音声コールのための１ｘ  ＲＡＴを用い、データのためにＤＯ  ＲＡＴを用いる）ハイブリッド・モードにＵＥがある場合、本開示のある態様は、１ｘ  ＲＡＴおよびＤＯ  ＲＡＴにわたって（例えば、ＬＴＥ近隣リスト、または、ＬＴＥ近隣リストからの情報とともになされた測定に関する）情報を共有する統合メカニズムを用いて再選択評価を実行することにより、電力消費量の低減を支援しうる。
【００４８】
ある態様によれば、どのドメイン（例えば、どのＲＡＴ）で近隣リストを送信するのかを決定するために、ネットワークによって、さまざまな改良および／または最適化がなされうる。ＲＡＴで近隣リストが受信されると、ＵＥは、ＵＥによってサポートされている他のＲＡＴと近隣情報を共有しうる。例えば、このネットワークは、１ｘ  ＲＡＴでＬＴＥ近隣リスト情報を送信すると決定しうる。近隣リスト情報が受信されると、（１ｘ  ＲＡＴ、ＤＯ  ＲＡＴ，および／またはＬＴＥ  ＲＡＴをサポートする）ＵＥは、ＬＴＥ近隣情報をＤＯ  ＲＡＴと共有しうる。
【００４９】
さらに、ある態様によれば、近隣リストが複数のＲＡＴ（例えば、１ｘおよびＤＯ）で送信される場合、複数のＲＡＴから取得された近隣リスト情報、および／または、複数のＲＡＴから取得された近隣リスト情報を用いてなされた測定値を結合する、ＵＥにおいて維持されている中央エンティティ、を利用するさまざまなアプローチが提供される。この中央エンティティを用いることは、例えば、ＵＥが周波数スキャンおよび／または測定に費やす時間の長さを制限することによって、ＵＥにおける電力消費量の低減をもたらしうる。
【００５０】
本明細書に示された技術は、さまざまなマルチＲＡＴシステムにおいて利用されうる。ある態様によれば、このようなシステムは、１ｘとＤＯとの両方をサポートするマルチＲＡＴ  ＵＥを含み、これらＲＡＴのおのおのからＬＴＥネットワークへの再選択を実行することが可能である。そのような場合、近隣リストは、従来、ＬＴＥ近隣を指定する１ｘ  ＲＡＴとＤＯ  ＲＡＴとの両方で送信されうる。本明細書で示されている技術は、このような近隣リストをどのＲＡＴで送信するのかを決定するために、ネットワーク側で実行されうるアルゴリズムを含みうる。さらに、または、その代わりに、本明細書で示された技術は、１ｘ  ＲＡＴおよびＤＯ  ＲＡＴのうちの１つ、または両方で送信された近隣リストからの情報を共有および／または結合するためにＵＥ側で実行されうるアルゴリズムを含みうる。
【００５１】
ＤＯ  ＲＡＴからＬＴＥへの再選択プロセスは、３ＧＰＰ２  Ｃ．Ｓ００８７ドキュメントに記載されている。この場合、ＬＴＥ近隣リストは、「その他のＲＡＴ近隣リスト・メッセージ」に含まれている。１ｘ  ＲＡＴからＬＴＥへの再選択プロセスは、３ＧＰＰ２  Ｃ．Ｐ００９７ドキュメントに記載されている。この場合、ＬＴＥ近隣リスト・メッセージは、代替技術情報メッセージ（ＡＴＩＭ）に含まれている。ＡＴＩＭはＣ．Ｓ００５−Ｅにおいて定義されているが、ＬＴＥ近隣リスト・メッセージは、例えば、規格の早期のバージョン（例えば、Ｐ＿ＲＥＶ）がＬＴＥインタワーキングをサポートするようにアップグレードされているのであれば、これら規格の早期のバージョンとの互換性を持つ１ｘ基地局によってサポートされうる。本開示では、近隣リストが、任意のフォーマットで送信されうることが注目されるべきである。
【００５２】
再選択評価は、近隣リストから得られた情報に基づいて周波数スキャンを実行することと、別のネットワーク（例えばＬＴＥ）へハンドオーバするか否かを判定することと、を称しうる。一般に、再選択評価がより頻繁に行われると、ＵＥが有効通信範囲に入った場合に、別のネットワークを再選択するための遅れがより短くなる。しかしながら、各評価は電力を消費するので、より頻繁な評価は、より高い電力消費に至りうる。
【００５３】
本明細書に示された技術によって、ＵＥは、（例えば、１ｘおよびＤＯのような）複数の異なるＲＡＴで受信された近隣リストから取得された（または、近隣リストを用いて取得された）情報を結合するためのさまざまなアルゴリズムを実施できるようになりうる。このような技術は、ＵＥが有効通信範囲に移動した後に、（例えば、ＬＴＥのような）別のネットワークを再選択するために要する時間と電力消費量とのバランスを達成する（理想的には、再選択するための時間を過度に増加させることなく、電力消費量を低減する）ことを試みて設計されうる。
【００５４】
ある態様によれば、ネットワーク側の決定は、近隣リストが（例えば１ｘネットワークとＤＯネットワークとの両方のような）複数のＲＡＴで送信される回数を回避または制限するためになされうる。なぜなら、これは、ＵＥによる無駄な測定に至りうるからである。例えば、ネットワークが１ｘ  ＲＡＴでＬＴＥ近隣情報を送信し、ＤＯ  ＲＡＴでほとんど同じＬＴＥ近隣情報を送信した場合、ＵＥは、２つの異なるＲＡＴから重複したいくつかの情報を受信しうる。これは、電力の無駄となりうる。従来の（最適化されていない）フローでは、（例えば、１ｘ  ＲＡＴとＤＯ  ＲＡＴとの両方によって通信する）ハイブリッド・モードで動作するＵＥは、両ＲＡＴのページング・サイクルにしたがってウェイク・アップしうる。例えば、１ｘスタックは、そのページング・サイクルでウェイク・アップし、再選択基準を評価して、ＬＴＥ周波数を測定する必要があるか否かを決定しうる。必要があると決定された場合、ＵＥは、ＬＴＥ周波数にあわせ、測定を実行しうる。１ｘスタックは、この測定に基づいて、再選択決定を行いうる。同様に、ＤＯスタックは、自身のページング・サイクルでウェイク・アップし、再選択基準を評価し、（例えば、１ｘスタックによって要求される測定と独立して、）ＬＴＥ周波数を測定する必要があるか否かを決定しうる。必要があると決定された場合、ＵＥは、ＬＴＥ周波数にあわせ、新たな測定を実行しうる。ＤＯスタックは、この新たな測定に基づいて、再選択決定を行いうる。したがって、各ＲＡＴスタックは、ＬＴＥへハンドオーバするか否かを決定するために、同じような動作を独立して実行しうる。これは、重複した測定と電力の浪費とをもたらしうる。
【００５５】
ある態様によれば、（例えば、オペレータによる）ネットワーク側の動作は、近隣リストを送信するためにどのドメイン（ＲＡＴ）を使用するのかを決定するためになされうる。図４は、近隣リストをどのＲＡＴで送信するのかを決定するために実行されうるネットワーク側の動作４００の例を例示する。４０２において、第１のＲＡＴおよび第２のＲＡＴ（例えば、１ｘ  ＲＡＴおよびＤＯ  ＲＡＴ）をサポートするネットワークが、（例えば、ＬＴＥのような）第３のＲＡＴの基地局の近隣リストを取得しうる。４０４では、近隣リストを、第１のＲＡＴで送信するのか、第２のＲＡＴで送信するのか、または第１のＲＡＴと第２のＲＡＴとの両方で送信するのかが、１または複数の基準に基づいて決定されうる。その後、ネットワークは、この決定に基づいて、近隣リストを、第１のＲＡＴで、第２のＲＡＴで、または第１のＲＡＴと第２のＲＡＴとの両方で、のうちの１または複数で送信しうる。
【００５６】
第３のＲＡＴからの有効通信範囲のないエリアでは、ネットワークは、近隣リストを送信する前に、近隣リスト内の近隣の数をゼロに設定しうる。この数を０に設定することによって、（マルチモード・システム選択）ＭＭＳＳをサポートするＵＥが、ＬＴＥ近隣周波数を求めて不必要にスキャンをすること阻止しうる。
【００５７】
近隣リストがどのＲＡＴで送信されるのかを決定するための基準は、複数のＲＡＴのうちのどれが、他のＲＡＴに対してよりロバストな有効通信範囲を有しているか否かを含みうる。例えば、１ｘ  ＲＡＴが、ＤＯ  ＲＡＴよりも、よりロバストな有効通信範囲を提供するのであれば、ＬＴＥ近隣リストを、ＤＯ  ＲＡＴではなく、１ｘ  ＲＡＴで（または、少なくとも、ＤＯ  ＲＡＴよりも１ｘ  ＲＡＴでより頻繁に）送信するとの判定がなされうる。態様では、この基準は、所望される移動領域について、第１のＲＡＴと第２のＲＡＴとの有効通信範囲の相対的な理解を備えうる。
【００５８】
ある態様の場合、２つのＲＡＴ（例えば、１ｘおよびＤＯ）の有効通信範囲エリアのロバストさが同じであると判定された場合、または、あるしきい量（または、その他の優先度）以内で少なくとも比較的類似しているのであれば、より小さなセル・サイズを持つネットワーク（例えば、ＲＡＴ）を使用することの決定がなされうる。より小さなセル・サイズを有するネットワークを使用することによって、オペレータは、ＵＥがある量の電力を節約することが可能になりうる、より精細なグラニュラリティを持つ「ＬＴＥアベイラビリティ」を指定することが可能となりうる。
【００５９】
ある態様の場合、近隣リストがどのＲＡＴで送信されるのかを決定するための基準は、第１のＲＡＴおよび第２のＲＡＴの相対的なページング・サイクル持続期間を含みうる。ある態様にしたがって、オペレータが、１つのみのＲＡＴしか使用しない（例えば、近隣リストを送信するためにＤＯ（すなわち、ＨＲＰＤ）しか使用しない）と決定した場合、オペレータは、この決定は、再選択遅れを増加させることに至りうるという事実を考慮しうる。例えば、いくつかの状況では、選択されたＲＡＴは、長いページング・サイクルを有しうる。例として、ＨＲＰＤが「常時オンという訳ではない（non-always on）」場合、ページング・ウェイクアップ間の時間は長くなりうる（例えば、最大４０秒）。したがって、ＬＴＥ近隣のリストがＨＲＰＤ  ＲＡＴによってのみ送信される場合、デバイスに関する再選択遅れが増加しうる。したがって、他の基準が満足されている場合（例えば、有効通信範囲のロバストさ、および／または、セル・サイズが、両ＲＡＴについて類似している場合）、これらＲＡＴのうちの１つに、優先度が与えられうる。例えば、この例では、１ｘは、より短いページング・サイクルを有しているので、ＬＴＥ近隣リストを送信するために１ｘネットワークを用いることが好まれうる。
【００６０】
ある態様の場合、オペレータは、１または複数の理由で、複数のＲＡＴ（例えば、１ｘネットワークとＤＯネットワーク）でＬＴＥ近隣リストを送信することを選択しうる。これらの理由は、例えば、いくつかのＵＥは、非ハイブリッド・モードで動作するという事実を含みうる（そして、両ネットワークでＬＴＥ近隣リストを送信することは、これらＵＥが現在、どのネットワークで通信しているのかに関わらず、これらＵＥによる受信を保証することに役立ちうる）。さらに、両ＲＡＴで送信することは、ネットワーク計画を簡略化しうる。なぜなら、各ＲＡＴは、近隣リストを独立して送信しうるからである。両ＲＡＴで送信することになりうる別のシナリオは、普遍的な有効通信範囲が１ｘオンリー・ネットワークでもＤＯオンリー・ネットワークの何れにおいても保証されない場合に生じうる。いくつかのシナリオでは、オペレータは、電力消費量を低減するために、後述するようなＵＥベースの解決策を命じうる。
【００６１】
何らかの理由で、ＬＴＥ隣人リストが１ｘネットワークとＤＯネットワークとの両方で送信される場合、ＵＥは、電力消費量を低減しながら、測定を実行するため１または複数の動作を実行するように構成されうる。ある態様によれば、ＵＥは、たとえＬＴＥ周波数が１ｘネットワークとＤＯネットワークとの両方で通知される場合であっても、ある時間内に一度のみ、ＬＴＥ周波数を測定するように構成されうる。これは、異なるアプローチにしたがって達成されうる。
【００６２】
例えば、ＬＴＥ周波数のための測定がなされる回数を制限するための１つのアプローチは、複数のＲＡＴで受信された近隣リスト情報を共有することである。１つのアプローチによれば、ＵＥは、近隣リストにおいて、１ｘ  ＲＡＴとＤＯ  ＲＡＴとの両方で受信された情報を、統合リスト内に（例えば、ＵＥにおいて、タイプのメモリに、データ構造形式で）結合しうる。ＵＥは、１ｘ  ＲＡＴまたはＤＯ  ＲＡＴのうちの何れかであるが（例えば、衝突を回避するために）両方ではないページング・サイクル中、ウェイク・アップと連携して再選択評価を実行するために、この統合リストを使用しうる。その後、ＵＥは、測定値を他のＲＡＴと共有（例えば、測定値のコピーを、他のＲＡＴのスタックに送信）しうる。このアプローチによれば、測定値は（両ＲＡＴのページング・サイクル中）反復されないので、電力消費量が低減されうる。
【００６３】
図５は、本開示のある態様にしたがう、ユーザ機器のブロック図の例を例示する。例示されるように、ＵＥ５００は、複数のＲＡＴ（例えば、ＲＡＴ１、ＲＡＴ２、およびＲＡＴ３）をサポートすることが可能でありうる。ＵＥは、第１のＲＡＴを経由して第３のＲＡＴで近隣基地局のリストを受信し、これら（例えば、ＲＡＴ１  ５０２で受信したＲＡＴ３近隣リスト）を格納しうる。ＵＥはまた、第２のＲＡＴを経由して第３のＲＡＴで近隣基地局の別のリストを受信し、これら（例えば、ＲＡＴ２  ５０４で受信したＲＡＴ３近隣リスト）を格納しうる。ＵＥは、これら２つの近隣リストを結合し、結合された近隣リストを、統合ＲＡＴ３近隣リスト５０６に格納しうる。ＲＡＴ１スタック５０８は、そのページング・サイクルにしたがってウェイク・アップした場合、ＲＡＴ３における測定を実行するために、統合ＲＡＴ３近隣リストにおける情報を使用し、ＲＡＴ３への再選択が好適であるか否かを判定する。ＲＡＴ１スタック５０８は、同じ周波数における重複した測定を回避するために、これら測定値（例えば、統合近隣リスト５１４に基づくＲＡＴ３測定）を、ＲＡＴ２スタック５１０と共有しうる。同様に、ＲＡＴ２スタック５１０は、ウェイク・アップして、ＲＡＴ３における測定を実行し、この測定値を、ＲＡＴ１スタック５０８と共有しうる。ある態様の場合、ＵＥは、第３のＲＡＴにおける測定を行うためにこれらＲＡＴのうちの１つを選択し、結合された情報に基づいて、選択されたＲＡＴを用いて、第３のＲＡＴにおいて測定を行いうる。ＵＥは、１または複数の基準に基づいて、どのＲＡＴスタックが測定を行うべきであるかを決定しうる。例えば、ＵＥは、ＲＡＴ１とＲＡＴ２のページング・サイクル持続期間を比較し、測定を実行するためにより短いページング・サイクルを持つＲＡＴを選択しうる。あるいは、ＵＥは、よりロバストな有効通信範囲を有するＲＡＴを選択しうる。ＵＥは、これら測定に基づいて、ＲＡＴ３への再選択（ハンドオーバ）を決定し、ＲＡＴ３スタック５１２を使用しうる。
【００６４】
ある態様によれば、ＵＥは、近隣リストが複数のＲＡＴ（例えば、１ｘおよびＤＯ）で送信されるイベントにおいて、電力消費量を低減するために、１または複数の動作を実行するように構成されうる。図６は、複数のＲＡＴで受信された近隣リスト情報を結合するために実行されうるＵＥ側動作６００の例を例示する。６０２において、ＵＥは、第３のＲＡＴ（例えば、ＬＴＥ）の基地局に関する情報を伴う第１の近隣リストを、第１のラジオ・アクセス技術（例えば、１ｘ）によって取得する。６０４において、ＵＥは、第３のＲＡＴの基地局に関する情報を伴う第２の近隣リストを、第２のＲＡＴ（例えば、ＤＯ）によって取得する。６０６において、ＵＥは、第１の近隣リストからの情報と、第２の近隣リストからの情報とを（例えば、統合リストに）結合する。６０８において、ＵＥは、結合された情報に基づいて、第３のＲＡＴにおいて測定を行うか否かを判定する。このように、１つのＲＡＴにおいて取得された近隣情報を用いて取得された情報は、選択されていないＲＡＴと共有されうる。
【００６５】
異なるリストからの情報がどのようにして結合されるのかは、正確には、特定の態様に依存して変動しうる。例えば、優先度（例えば、あるＲＡＴが別のＲＡＴよりも好適である）、および／または、しきい値（例えば、ＬＴＥ測定を実行するか否かを決定するため、周波数に関連付けられた信号レベル）が、両ネットワークにおいて、同じであるか、実質的に同じであるか、または類似している場合、結合プロセスは、比較的単純でありうる。例えば、近隣リストのうちの１つが、リストされた周波数を有していないのであれば、ＵＥは、これは、ＬＴＥ有効通信範囲を持たないエリアに対応すると仮定し、結合された近隣リストは、ヌル・エントリを有しうる。そうではない場合、結合された近隣リストは、１ｘＲＡＴで受信された近隣リストか、ＤＯ  ＲＡＴで受信された近隣リスト（例えば、２つの近隣リストの結合を示す）かの何れかでリストされた周波数を含みうる。
【００６６】
ある態様の場合、優先度および／またはしきい値が同じではない場合、または、両ネットワークにおいて実質的に異なっている場合、より複雑な結合スキームが利用されうる。例えば、ＵＥは、第３のＲＡＴ（例えばＬＴＥ）を再選択（選択）し、切り換わる確率を高める優先度および／またはしきい値を選択しうる。
【００６７】
例えば、特定の周波数が、第１の近隣リストおよび第２の近隣リストにおいて共通でありうる。さらに、第１のしきい値は、第１の近隣リストにおける共通の周波数に対応し、第２のしきい値は、第２の近隣リストにおける共通の周波数に対応しうる。第１のしきい値が、第３のＲＡＴへの再選択の確率を高める場合には、ＵＥは、統合リスト内の共通の周波数に対応する第１のしきい値を選択し、そうではない場合には、ＵＥは、第２のしきい値を選択しうる。
【００６８】
ある態様によれば、これら測定は、２つのネットワークのページング・サイクルが、類似の持続時間を有している場合、ＤＯネットワークにおいて実行されうる。そうではない場合（例えば、ＤＯネットワークが、より長い４０秒のページング・サイクルを用いている場合）、測定は、１ｘネットワークで実行されうる。
【００６９】
ある態様によれば、異なるネットワーク・スタックでなされた周波数測定が共有されうる（例えば、近隣リスト情報を用いてなされた測定が、近隣リスト情報の代わりに、あるいは、近隣リスト情報に加えて、結合されうる）。
【００７０】
図７は、統合リストにおける測定情報に基づいて再選択決定を行うように実行されうるＵＥ側動作７００の例を例示する。７０２において、ＵＥは、第３のＲＡＴの基地局に関する情報を伴う第１の近隣リストを、第１のラジオ・アクセス技術（ＲＡＴ）によって取得する。７０４において、ＵＥは、第３のＲＡＴの基地局に関する情報を伴う第２の近隣リストを、第２のＲＡＴによって取得する。７０６において、ＵＥは、第１の近隣リストにおける情報に基づいて第３のＲＡＴでなされた測定値、または、第２の近隣リストにおける情報に基づいて第３のＲＡＴでなされた測定値のうちの少なくとも１つを用いて、中央エンティティを維持する。７０８において、ＵＥは、中央エンティティにおける測定情報に基づいて、第３のＲＡＴへのセル再選択を実行するか否かを決定する。これら動作はもちろん、測定がなされると、統合リストを定期的に更新することを含みうる。
【００７１】
例として、ＬＴＥ測定は、同じＵＥで動作している１ｘスタックとＤＯスタックとの間で共有されうる。このアプローチによれば、例えば、１ｘ（またはＤＯ）スタックは、ＬＴＥ測定を実行しなければならない場合、その周波数のために有効な測定がすでにあるか否かを確認するために中央エンティティをチェックしうる。有効な測定が存在する場合、ＵＥは、再選択基準を評価するために、この有効な測定を用いうる。このように、別の（例えば、重複した）測定が同じ周波数で実行されないので、電力消費量が低減されうる。有効な測定が存在しない場合、１ｘ（またはＤＯ）スタックは、新たなＬＴＥ測定をスケジュールしうる。ＵＥは、その後、新たなＬＴＥ測定を用いて、再選択基準を評価しうる。ある態様によれば、新たなＬＴＥ測定がＬＴＥへの再選択をもたらさないのであれば、この測定値は、中央エンティティへ渡されうる。態様では、このような測定値は、有効である間、第１のスタック（例えば、１ｘ）によるＬＴＥへの再選択を引き起こさないかもしれないが、その後、第２のスタック（例えば、ＤＯ）によるＬＴＥへの再選択をもたらしうる。
【００７２】
ある態様によれば、ＵＥは、予め定められた期間、所与の周波数の測定値を、有効であると考えうる。したがって、測定値は、予め定められた期間が過ぎた後、中央エンティティから「エイジド（ａｇｅｄ）」アウトされうる。例えば、中央エンティティは、（例えば、５．１２秒のような適切なデフォルト値を持つ）T_measure_valid 秒の測定値を格納し、T_measure_valid 秒よりも古い測定値を破棄しうる。このアプローチを用いて、１ｘスタックおよびＤＯスタックは、ＬＴＥ近隣リストが両ネットワークで送信されている場合であっても、中央エンティティに、最近の測定値が存在する場合、同じ周波数において測定を実行しない。したがって、ＵＥの電力消費量が低減されうる。ある態様の場合、測定値が有効である時間は、ＵＥの移動速度またはその他の基準に基づいて定義されうる。
【００７３】
図８は、本開示のある態様にしたがうユーザ機器８００のブロック図の別の例を例示する。このブロック図は、図５において同じ付番で例示されたＵＥ５００と類似したブロックを含んでいる。さらに、ＵＥ８００は、前述したように、ＲＡＴ１またはＲＡＴ２の何れかによって実行されたＲＡＴ３における測定値を格納する統合ＲＡＴ３測定値ストレージ８０２を含みうる。統合ＲＡＴ３測定値ストレージ８０２は、測定値をタイム・スタンプとともに格納し、T_measure_valid よりも古い測定値を破棄しうる。
【００７４】
特定の実装に依存して、本明細書に記載されたさまざまなアプローチが結合されうる。例えば、複数のＲＡＴによって受信された近隣リストからの情報が、統合リスト内で結合され、測定値は、中央エンティティにおいても結合されうる。
【００７５】
前述した図４，６，７の方法で例示されたブロックに対応するさまざまな動作は、さまざまなハードウェア構成要素（単数または複数）および／またはソフトウェア構成要素（単数または複数）および／またはモジュール（単数または複数）によって実行されうる。
【００７６】
例えば、ＲＡＴの基地局の近隣リストを取得する手段は、（例えば、図２に示される）受信機または任意の適切な受信構成要素によって実行されうる。判定する手段は、（例えば、図２に示される）プロセッサのような任意の適切な処理構成要素によって実行されうる。
【００７７】
さらに、ＲＡＴの基地局に関する情報を伴う近隣リストを取得する手段は、例えば、図２に例示された受信機２５４のような任意の適切な受信手段によって実行されうる。情報を結合する手段は、図２に例示されたプロセッサ２７０のような任意の適切な結合手段によって実行されうる。決定する手段は、例えばプロセッサ２７０のような任意の適切な決定手段によって実行されうる。中央エンティティを維持する手段は、図２に例示されたメモリ２７２のような任意の適切な格納手段によって実行されうる。
【００７８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８０】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８１】
記述された機能は、ハードウェア、ソフトウェア、ファームウェア、またはこれらの任意の組み合わせで実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００８２】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８３】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８４】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８５】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８６】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に、出願当初の特許請求の範囲に記載された発明を付記する。
［Ｃ１］
無線通信のための方法であって、
第１のラジオ・アクセス技術（ＲＡＴ）および第２のＲＡＴをサポートするネットワークにおいて、第３のＲＡＴの基地局の近隣リストを取得することと、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定することと、を備える方法。
［Ｃ２］
前記第１のＲＡＴおよび前記第２のＲＡＴのうちの少なくとも１つは、符号分割多元接続（ＣＤＭＡ）ＲＡＴを備える、Ｃ１に記載の方法。
［Ｃ３］
前記第１のＲＡＴおよび前記第２のＲＡＴのうちの少なくとも１つは、データ・オプティマイズド（ＤＯ）ＲＡＴを備える、Ｃ２に記載の方法。
［Ｃ４］
前記第３のＲＡＴは、ロング・ターム・イボリューション（ＬＴＥ）ＲＡＴを備える、Ｃ１に記載の方法。
［Ｃ５］
前記１または複数の基準は、前記第１のＲＡＴおよび前記第２のＲＡＴの相対的なロバストさを備える、Ｃ１に記載の方法。
［Ｃ６］
前記１または複数の基準は、所望される移動領域について、前記第１のＲＡＴと前記第２のＲＡＴとの有効通信範囲の相対的な理解を備える、Ｃ１に記載の方法。
［Ｃ７］
前記１または複数の基準は、前記第１のＲＡＴと前記第２のＲＡＴとの有効通信範囲エリアの相対的なサイズを備える、Ｃ１に記載の方法。
［Ｃ８］
前記１または複数の基準は、前記第１のＲＡＴと前記第２のＲＡＴとの相対的なページング・サイズ・サイクル持続期間を備える、Ｃ１に記載の方法。
［Ｃ９］
前記近隣リストを、前記判定に基づいて、前記第１のＲＡＴで、前記第２のＲＡＴで、または、前記第１のＲＡＴと前記第２のＲＡＴとの両方で送信すること、をさらに備えるＣ１に記載の方法。
［Ｃ１０］
前記近隣リストを送信することは、
前記第３のＲＡＴからの有効通信範囲を持たないエリアにおいて、前記近隣リストにおける近隣の数をゼロに設定することと、
前記近隣リストを送信することとを備える、Ｃ９に記載の方法。
［Ｃ１１］
前記近隣リストを、前記判定に基づいて、前記第１のＲＡＴまたは前記第２のＲＡＴのうちの１つで送信することと、
前記送信された近隣リストに基づいて、前記第３のＲＡＴで測定が実行されるようにすることと、をさらに備えるＣ１に記載の方法。
［Ｃ１２］
無線通信のための方法であって、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストからの情報と前記第２の近隣リストからの情報とを結合することと、を備える方法。
［Ｃ１３］
前記結合された情報に基づいて、前記第３のＲＡＴで測定を行うこと、をさらに備えるＣ１２に記載の方法。
［Ｃ１４］
前記第３のＲＡＴで行われた測定に基づいて、前記第３のＲＡＴへのセル再選択を実行するか否かを決定すること、をさらに備えるＣ１３に記載の方法。
［Ｃ１５］
前記第１のＲＡＴおよび前記第２のＲＡＴのうちの少なくとも１つは、符号分割多元接続（ＣＤＭＡ）ＲＡＴを備える、Ｃ１２に記載の方法。
［Ｃ１６］
前記第１のＲＡＴおよび前記第２のＲＡＴのうちの少なくとも１つは、データ・オプティマイズド（ＤＯ）ＲＡＴを備える、Ｃ１５に記載の方法。
［Ｃ１７］
前記第３のＲＡＴは、ロング・ターム・イボリューション（ＬＴＥ）ＲＡＴを備える、Ｃ１２に記載の方法。
［Ｃ１８］
前記結合することは、前記第１の近隣リストおよび前記第２の近隣リストからの情報を備える統合リストを更新することを備える、Ｃ１２に記載の方法。
［Ｃ１９］
前記第１の近隣リストおよび前記第２の近隣リストに関連付けられた優先度またはしきい値のうちの少なくとも１つが異なっていないと判定することをさらに備え、
前記結合することは、
前記第１の近隣リストまたは前記第２の近隣リストが周波数を含んでいないのであれば、ヌル・リストを生成することと、
前記第１の近隣リストおよび前記第２の近隣リストのおのおのが、少なくとも１つの周波数を含んでいるのであれば、前記第１の近隣リストおよび前記第２の近隣リストからの周波数を含むリストを生成することとを備える、Ｃ１２に記載の方法。
［Ｃ２０］
前記統合リストを更新することは、前記第３のＲＡＴへの再選択の確率を高めるように前記統合リストを更新することを備える、Ｃ１８に記載の方法。
［Ｃ２１］
前記第１の近隣リストおよび前記第２の近隣リストに関連付けられた優先度またはしきい値のうちの少なくとも１つが異なっていると判定することをさらに備え、
前記第１の近隣リストおよび前記第２の近隣リストに関連付けられた優先度またはしきい値のうちの少なくとも１つが異なっている場合、前記第３のＲＡＴへの再選択の確率を高めるように前記統合リストを更新する、Ｃ２０に記載の方法。
［Ｃ２２］
前記統合リストを更新することは、
第１のしきい値が前記第３のＲＡＴへの再選択の確率を高めるのであれば、前記統合リスト内に含めるために、前記第１の近隣リストおよび前記第２の近隣リストにおいて共通の周波数に対応する前記第１のしきい値を選択すること、そうではない場合には、第２のしきい値を選択することを備え、
前記第１のしきい値は、前記第１の近隣リストにおける共通の周波数に対応し、前記第２のしきい値は、前記第２の近隣リストにおける共通の周波数に対応する、Ｃ２０に記載の方法。
［Ｃ２３］
前記第３のＲＡＴにおいて測定を行うために、前記第１のＲＡＴまたは前記第２のＲＡＴを選択することと、
前記結合された情報に基づいて、前記選択されたＲＡＴを用いて、前記第３のＲＡＴにおいて測定を行うことと、をさらに備えるＣ１２に記載の方法。
［Ｃ２４］
前記第１のＲＡＴまたは前記第２のＲＡＴを選択することは、少なくとも、前記第１のＲＡＴのページング・サイクルに基づく、Ｃ２３に記載の方法。
［Ｃ２５］
前記選択されたＲＡＴを用いて行われた測定を、選択されていない他のＲＡＴと共有すること、をさらに備えるＣ２３に記載の方法。
［Ｃ２６］
無線通信のための方法であって、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持することと、を備える方法。
［Ｃ２７］
少なくとも、前記中央エンティティにおける測定値に基づいて、前記第３のＲＡＴへのセル再選択を実行するか否かを決定すること、をさらに備えるＣ２６に記載の方法。
［Ｃ２８］
前記得られた測定値の結果は、前記第３のＲＡＴへのセル再選択にはならない、Ｃ２６に記載の方法。
［Ｃ２９］
前記第１のＲＡＴは、前記第１の近隣リストにおける情報に基づいて、前記第３のＲＡＴにおいて測定を行い、
前記第２のＲＡＴは、前記第２の近隣リストにおける情報に基づいて、前記第３のＲＡＴにおいて測定を行う、Ｃ２６に記載の方法。
［Ｃ３０］
前記第１のＲＡＴおよび前記第２のＲＡＴのうちの少なくとも１つは、符号分割多元接続（ＣＤＭＡ）ＲＡＴを備える、Ｃ２６に記載の方法。
［Ｃ３１］
前記第１のＲＡＴおよび前記第２のＲＡＴのうちの少なくとも１つは、データ・オプティマイズド（ＤＯ）ＲＡＴを備える、Ｃ２６に記載の方法。
［Ｃ３２］
前記第３のＲＡＴは、ロング・ターム・イボリューション（ＬＴＥ）ＲＡＴを備える、Ｃ２６に記載の方法。
［Ｃ３３］
その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うこと、をさらに備えるＣ２６に記載の方法。
［Ｃ３４］
前記維持することは、所与の周波数の測定値を、予め定められた期間、有効であると考慮することを備える、Ｃ２６に記載の方法。
［Ｃ３５］
前記予め定められた期間は、ユーザ機器の移動速度に依存する、Ｃ２６に記載の方法。
［Ｃ３６］
無線通信のための装置であって、
第１のラジオ・アクセス技術（ＲＡＴ）および第２のＲＡＴをサポートするネットワークにおいて、第３のＲＡＴの基地局の近隣リストを取得する手段と、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定する手段と、を備える装置。
［Ｃ３７］
前記近隣リストを、前記判定に基づいて、前記第１のＲＡＴで、前記第２のＲＡＴで、または、前記第１のＲＡＴと前記第２のＲＡＴとの両方で送信する手段、をさらに備えるＣ３６に記載の装置。
［Ｃ３８］
前記近隣リストを、前記判定に基づいて、前記第１のＲＡＴまたは前記第２のＲＡＴのうちの１つで送信する手段と、
前記送信された近隣リストに基づいて、前記第３のＲＡＴで測定が実行されるようにする手段と、をさらに備えるＣ３６に記載の装置。
［Ｃ３９］
無線通信のための装置であって、
第１のラジオ・アクセス技術（ＲＡＴ）で、第３のＲＡＴの基地局に関する情報を伴う第１の近隣リストを取得する手段と、
第２のＲＡＴで、前記第３のＲＡＴの基地局に関する情報を伴う第２の近隣リストを取得する手段と、
前記第１の近隣リストからの情報と前記第２の近隣リストからの情報とを結合する手段と、を備える装置。
［Ｃ４０］
前記結合された情報に基づいて、前記第３のＲＡＴで測定を行う手段、をさらに備えるＣ３９に記載の装置。
［Ｃ４１］
前記結合された情報を、統合リストに保持する手段と、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを更新する手段と、ここで、前記第１のしきい値は、前記第１の近隣リストにおける共通の周波数に対応し、前記第２のしきい値は、前記第２の近隣リストにおける共通の周波数に対応する、をさらに備えるＣ３９に記載の装置。
［Ｃ４２］
無線通信のための装置であって、
第１のラジオ・アクセス技術（ＲＡＴ）で、第３のＲＡＴの基地局に関する情報を伴う第１の近隣リストを取得する手段と、
第２のＲＡＴで、前記第３のＲＡＴの基地局に関する情報を伴う第２の近隣リストを取得する手段と、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持する手段と、を備える装置。
［Ｃ４３］
少なくとも、前記中央エンティティにおける測定値に基づいて、前記第３のＲＡＴへのセル再選択を実行するか否かを決定する手段、をさらに備えるＣ４２に記載の装置。
［Ｃ４４］
その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行う手段、をさらに備えるＣ４２に記載の装置。
［Ｃ４５］
無線通信のための装置であって、
第１のラジオ・アクセス技術（ＲＡＴ）および第２のＲＡＴをサポートするネットワークにおいて、第３のＲＡＴの基地局の近隣リストを取得し、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定するように構成された少なくとも１つのプロセッサと、
前記少なくとも１つのプロセッサに接続されたメモリと、を備える装置。
［Ｃ４６］
前記少なくとも１つのプロセッサはさらに、前記近隣リストを、前記判定に基づいて、前記第１のＲＡＴで、前記第２のＲＡＴで、または、前記第１のＲＡＴと前記第２のＲＡＴとの両方で送信するように構成された、Ｃ４５に記載の装置。
［Ｃ４７］
前記少なくとも１つのプロセッサはさらに、前記近隣リストを、前記判定に基づいて、前記第１のＲＡＴまたは前記第２のＲＡＴのうちの１つで送信し、
前記送信された近隣リストに基づいて、前記第３のＲＡＴで測定が実行されるようにするように構成された、Ｃ４５に記載の装置。
［Ｃ４８］
無線通信のための装置であって、
第３のラジオ・アクセス技術（ＲＡＴ）の基地局に関する情報を伴う第１の近隣リストを第１のＲＡＴを介して取得し、
前記第３のＲＡＴの基地局に関する情報を伴う第２の近隣リストを第２のＲＡＴを介して取得し、
前記第１の近隣リストおよび前記第２の近隣リストからの情報を結合するように構成された少なくとも１つのプロセッサと、
前記少なくとも１つのプロセッサに接続されたメモリと、を備える装置。
［Ｃ４９］
前記少なくとも１つのプロセッサはさらに、前記結合された情報に基づいて、前記第３のＲＡＴで測定を行うように構成された、Ｃ４８に記載の装置。
［Ｃ５０］
前記少なくとも１つのプロセッサはさらに、
前記結合された情報を、統合リストに保持し、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを統合するように構成され、
前記第１のしきい値は、前記第１の近隣リストにおける共通の周波数に対応し、前記第２のしきい値は、前記第２の近隣リストにおける共通の周波数に対応する、Ｃ４８に記載の装置。
［Ｃ５１］
無線通信のための装置であって、
第３のラジオ・アクセス技術（ＲＡＴ）の基地局に関する情報を伴う第１の近隣リストを第１のＲＡＴを介して取得し、
前記第３のＲＡＴの基地局に関する情報を伴う第２の近隣リストを第２のＲＡＴを介して取得し、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持するように構成された少なくとも１つのプロセッサと、
前記少なくとも１つのプロセッサに接続されたメモリと、を備える装置。
［Ｃ５２］
前記少なくとも１つのプロセッサはさらに、少なくとも、前記中央エンティティにおける測定値に基づいて、前記第３のＲＡＴへのセル再選択を実行するか否かを決定するように構成された、Ｃ５１に記載の装置。
［Ｃ５３］
前記少なくとも１つのプロセッサはさらに、その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うように構成された、Ｃ５１に記載の装置。
［Ｃ５４］
格納された命令群を有するコンピュータ読取可能な媒体を備えるプログラム製品であって、
前記命令群は、
第１のラジオ・アクセス技術（ＲＡＴ）および第２のＲＡＴをサポートするネットワークにおいて、第３のＲＡＴの基地局の近隣リストを取得することと、
前記近隣リストを前記第１のＲＡＴで送信するか、前記第２のＲＡＴで送信するか、または前記第１のＲＡＴと前記第２のＲＡＴとの両方で送信するかを、１または複数の基準に基づいて判定することと、のために１または複数のプロセッサによって実行可能である、プログラム製品。
［Ｃ５５］
前記命令群はさらに、
前記近隣リストを、前記判定に基づいて、前記第１のＲＡＴで、前記第２のＲＡＴで、または、前記第１のＲＡＴと前記第２のＲＡＴとの両方で送信することのために１または複数のプロセッサによって実行可能である、Ｃ５４に記載のプログラム製品。
［Ｃ５６］
前記命令群はさらに、
前記近隣リストを、前記判定に基づいて、前記第１のＲＡＴまたは前記第２のＲＡＴのうちの１つで送信することと、
前記送信された近隣リストに基づいて、前記第３のＲＡＴで測定が実行されるようにすることと、のために１または複数のプロセッサによって実行可能である、Ｃ５４に記載のプログラム製品。
［Ｃ５７］
格納された命令群を有するコンピュータ読取可能な媒体を備えるプログラム製品であって、
前記命令群は、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストからの情報と前記第２の近隣リストからの情報とを結合することと、のために１または複数のプロセッサによって実行可能である、プログラム製品。
［Ｃ５８］
前記結合された情報に基づいて、前記第３のＲＡＴで測定を行うことのために１または複数のプロセッサによって実行可能である、Ｃ５７に記載のプログラム製品。
［Ｃ５９］
前記命令群はさらに、
前記結合された情報を、統合リストに保持することと、
第１のしきい値が前記第３のＲＡＴへの再選択の確率を高めるのであれば、前記統合リスト内に含めるために、前記第１のしきい値を、前記第１の近隣リストおよび前記第２の近隣リストにおいて共通の周波数に対応するように選択することによって、そうではない場合には、第２のしきい値を選択することによって、前記統合リストを更新することと、ここで、前記第１のしきい値は、前記第１の近隣リストにおける共通の周波数に対応し、前記第２のしきい値は、前記第２の近隣リストにおける共通の周波数に対応する、のために１または複数のプロセッサによって実行可能である、Ｃ５７に記載のプログラム製品。
［Ｃ６０］
格納された命令群を有するコンピュータ読取可能な媒体を備えるプログラム製品であって、
前記命令群は、
第１のラジオ・アクセス技術（ＲＡＴ）で、第３のＲＡＴの基地局に関する情報を伴う第１の近隣リストを取得することと、
第２のＲＡＴで、前記第３のＲＡＴの基地局に関する情報を伴う第２の近隣リストを取得することと、
前記第１の近隣リストにおける情報に基づいて前記第３のＲＡＴで得られた測定値と、前記第２の近隣リストにおける情報に基づいて前記第３のＲＡＴで得られた測定値とのうちの少なくとも１つを用いて、中央エンティティを維持することと、のために１または複数のプロセッサによって実行可能である、プログラム製品。
［Ｃ６１］
前記命令群はさらに、少なくとも、前記中央エンティティにおける測定値に基づいて、前記第３のＲＡＴへのセル再選択を実行するか否かを決定することのために１または複数のプロセッサによって実行可能である、Ｃ６０に記載のプログラム製品。
［Ｃ６２］
前記命令群はさらに、その周波数に関する有効な測定値が、前記中央エンティティ内に存在しない場合、前記第１の近隣リストおよび前記第２の近隣リストのうちの少なくとも１つで取得された情報に基づいて、前記第３のＲＡＴの周波数に関する新たな測定を行うことのために１または複数のプロセッサによって実行可能である、Ｃ６０に記載のプログラム製品。
【図１】
0005722497.tif 000002
【図２】
0005722497.tif 000003
【図３】
0005722497.tif 000004
【図４】
0005722497.tif 000005
【図５】
0005722497.tif 000006
【図６】
0005722497.tif 000007
【図７】
0005722497.tif 000008
【図８】
0005722497.tif 000009